(57)【特許請求の範囲】
【請求項１】
ベース（１００）、前記ベース（１００）に設置された機能キー（１１０）及びデータ情報を送受信するための光学的送受信装置（３００）を備えたマウスであって、
前記ベース（１００）に可動連結されている指背押板（２００）をさらに備え、
前記指背押板（２００）には指背貫通孔（２１０）が形成され、前記指背押板（２００）を開けた状態でユーザが前記マウスを操作し、操作する手が前記指背押板（２００）によって押しつけられたときに、操作する手の指背部分が前記指背貫通孔（２１０）に対向し、
前記指背押板（２００）を前記ベース（１００）上に閉じた状態でも前記機能キー（１１０）を制御してマウスとして使用することができることを特徴とするマウス。
【請求項２】
前記指背押板（２００）上の前記機能キー（１１０）に対応する位置に機能キー貫通孔（２１１）が形成されていることを特徴とする請求項１に記載のマウス。
【請求項３】
前記機能キー（１１０）には操作する手の指と前記機能キー（１１０）の間の摩擦力を増大させるための突起（１１３）が形成されていることを特徴とする請求項１又は請求項２に記載のマウス。
【請求項４】
前記可動連結は回動可能連結であり、前記指背押板（２００）は前記ベース（１００）に対して回動可能であることを特徴とする請求項１乃至請求項３のいずれか一項に記載のマウス。
【請求項５】
前記指背押板（２００）は、前記ベース（１００）と前記押板（２００）の間に設置された押板ヒンジ（２２０）を介して前記ベース（１００）と可動連結され；
前記機能キー（１１０）は、前記ベース（１００）の前記押板ヒンジ（２２０）寄り側に設置され、左機能キー（１１１）と右機能キー（１１２）を含むことを特徴とする請求項１乃至請求項３のいずれか一項に記載のマウス。
【請求項６】
前記マウスは、前記ベース（１００）の側面に設置されたスクロールキー（１２０）をさらに備え、
前記スクロールキー（１２０）は、スクロール歯車キー（１２１）、粗面付きホイール又はスライドタッチキー（１２２）であることを特徴とする請求項１乃至請求項５のいずれか一項に記載のマウス。
【請求項７】
前記光学的送受信装置（３００）は、光源（３４２）、光学系ミラー（３４１）及び反射光受信装置（３３０）を備え；
前記光源（３４２）から出射された光は前記光学系ミラー（３４１）によって反射面（８００）に照射され、そして前記反射面（８００）によって反射され、前記反射光受信装置（３３０）によって受光されることを特徴とする請求項１乃至請求項６のいずれか一項に記載のマウス。
【請求項８】
前記マウスは、光学部材ケース（３１０）をさらに備え、
前記光学的送受信装置（３００）の少なくとも光源（３４２）、光学系ミラー（３４１）及び反射光受信装置(３３０)は前記光学部材ケース（３１０）内に装着され、前記光学部材ケース（３１０）は前記ベース（１００）に可動連結されていることを特徴とする請求項７に記載のマウス。
【請求項９】
前記光学部材ケース（３１０）は、前記ベース（１００）と前記光学部材ケース（３１０）の間に設置されたヒンジ（３２０）を介して前記ベース（１００）に可動連結されていることを特徴とする請求項８に記載のマウス。
【請求項１０】
前記光源（３４２）は、可視光、赤外光又はレーザ光を出射する電子素子であることを特徴とする請求項７乃至請求項９のいずれか一項に記載のマウス。
【請求項１１】
前記ベース（１００）上の前記光学部材ケース（３１０）に対応する位置には、前記光学部材ケース（３１０）を収納するための光学部材ケース収納溝（３１１）が形成されていることを特徴とする請求項７乃至請求項１０のいずれか一項に記載のマウス。
【請求項１２】
前記マウスは無線受信装置（４００）を備え、前記無線受信装置（４００）はコンピュータに挿抜可能であり、前記マウスと前記コンピュータを無線接続するように構成され、前記マウスには前記無線受信装置（４００）を収納するための無線受信装置収納溝（４０１）が形成されていることを特徴とする請求項１乃至請求項１１のいずれか一項に記載のマウス。
【請求項１３】
前記指背押板（２００）上で指背に対応する一側に設置された押板クッションパッド（２０１）をさらに備えたことを特徴とする請求項１乃至請求項１２のいずれか一項に記載のマウス。
【発明の詳細な説明】
【技術分野】
【０００１】
本発明はマウスに関する。
【背景技術】
【０００２】
コンピュータの発展に伴い、小型で携帯し易いマウスは益々市場に歓迎されている。一方、過度に小型化されたマウスは、往々にして操作に不便である。ユーザがマウスを操作する際、機能キーを操作するほか、マウスの移動を制御する必要がある。過度に小型のマウスは、往々にしてユーザの指の力のみで操作が完了されるので、ユーザの疲労や誤操作を招く畏れがある。
【０００３】
上述した問題を解決するため、中国特許ＺＬ２００７２０１１９５１７.８「指サック式マウス」は、小型化されたマウスを提案しており、該マウスは本体が小さな平板であり、ユーザ操作の便利を図るため、該平板にはユーザの操作する側の手の指に装着される固定ケースが設けられており、マウスの移動及び位置決めの実現を容易にしている。しかしながら、この指サック式のケースが固定的に設置されるので、マウスの体積を増大させてしまい、さらに、ユーザによって指の太さが異なるので、多数のユーザにとってこのマウスを快適で簡便に操作することができない。
【発明の概要】
【０００４】
本発明によって解決される技術的課題は、体積が小さく、操作が便利なマウスを提供することである。
【０００５】
本発明の目的は、以下の技術的解決手段によって達成される。
本発明が提供するマウスは、ベース、前記ベースに設置された機能キー及びデータ情報を送受信するための光学的送受信装置を備え、前記ベースに可動連結されている指背押板をさらに備え、前記指背押板には指背貫通孔が形成され、前記指背押板を開けた状態でユーザが前記マウスを操作し、操作する手が前記指背押板によって押しつけられたときに、操作する手の指背部分が前記指背貫通孔に対向し、前記指背押板を前記ベース上に閉じた状態でも前記機能キーを制御してマウスとして使用することができる。
【０００６】
上述の技術的解決手段によると、ユーザがこの光学マウスを使用する際、ベースにヒンジ連結された指背押板を開けて、操作する方の手の指背を圧着させることができる。こうすると、この光学マウスを移動させる際に、ユーザは、指によってそれほど大きな圧力を付与しなくても、容易に、且つ、便利に光学マウスを操作することができる。また、指背押板が開かれていないときでも、ユーザは、機能キーを制御してマウスを使用することができる。
【０００７】
ユーザの操作する手と指背押板とのフィット性を向上するため、本発明による一部の実施形態では、前記指背押板には指背貫通孔が設けられている。ユーザが前記マウスを操作し、操作する手の指背は前記指背押板によって圧着される際、前記操作する手の指背部分は前記指背貫通孔に対向する。これにより、前記指背押板を前記ベースに対して一定角度を回転させ、ユーザの操作する手の指背に圧着させる際、操作する手の指背の盛り上がった部分が前記指背貫通孔を貫通する。それによって、指背貫通孔２１０も前記マウスを移動させるための力をある程度で供与することができる。
【０００８】
本発明による一部の実施形態では、このマウスは以下の特徴を有していてもよい。
【０００９】
前記指背押板が開かれていないときでもユーザに該マウスをスムーズに操作させるために、前記指背押板上の前記機能キーに対応する位置には、機能キー貫通孔が設けられている。それによって、前記指背押板が閉じられているとき、ユーザは、該機能キー貫通孔を介して、操作する手の指により機能キーを制御してマウスを使用することができる。
【００１０】
前記機能キーには、操作する手の指と前記機能キーの間の感受性及び摩擦力を増大させるための突起が設けられている。
【００１１】
前記指背押板上の指背に対向する側には、クッションパッドが設置されている。
【００１２】
前記指背押板と前記ベースの間の可動連結は回動連結である。
【００１３】
前記指背押板は、前記ベースと前記押板の間に設置された押板ヒンジを介してベースと可動連結され；前記機能キーは、前記ベースの前記押板ヒンジ寄り側に設置され、左機能キーと右機能キーを含む。前記マウスは左、右手の何れでも操作できる。上述ヒンジ連結は、軸連結、着脱可能連結などで代替されうる。
【００１４】
前記マウスは、前記ベース側面にスクロールキーをさらに備え、前記スクロールキーは、スクロールは車キー、粗面付きホイール又はスライドタッチキーのいずれかである。
【００１５】
前記光学的送受信装置は、前記光学部材ケース内に設置された光源、光学系ミラー及び光学レンズを有する反射光受信装置を備え；前記光源から出射された光は前記光学系ミラーによって反射面に照射され、そして反射面によって反射され、前記反射光受信装置によって受光される。
【００１６】
前記マウスは、さらに光学部材ケースを備え、前記光学的送受信装置中の少なくとも光源、光学系ミラー又は反射光受信装置が前記光学部材ケース内に収納され、前記光学部材ケースは前記ベースに可動連結されている。これにより、前記光学部材ケースが前記ベースに対して一定角度回転すると、前記光学的送受信装置と前記反射面の間の距離が拡大され、それによって、マウスの解像度と感度が向上する。
【００１７】
前記反射面は、往々にして前記マウスがその上を移動させるのを支持する表面である。
【００１８】
前記反射光受信装置は、往々にしてレンズを有する。前記光学部材ケースが、前記ベース内の光学部材ケース収納溝に収納される場合、反射光受信装置のレンズと反射面の距離は短くなり、実際に該レンズの焦点距離が往々にして反射面を超えてしまい、不十分な集束効果しか得られない。しかしながら、前記光学部材ケースが前記ベースに対して一定の角度回転し、前記反射面からの距離が拡大された場合、光学系ミラーによって前記光源により照射される領域が拡大され、受光集束効果及び解像度が向上される。もちろん、焦点距離の短い光学系も、反射面からの距離を拡大するように上述光学部材を移動させるという上述の技術的課題を解決するために用いることができる。
【００１９】
前記光源は、可視光、赤外光又はレーザ光を出射する電子素子である。
【００２０】
前記ベースの前記光学部材ケースに対応する位置には、前記光学部材ケースを収納するための光学部材ケース収納溝が形成されている。
【００２１】
前記マウスは、無線又は有線で接続されてもよい。前記マウスが無線方式で接続される場合、前記マウスは無線送信装置と無線受信装置を備える。前記無線受信装置は、例えばＵＳＢインタフェースを介して挿抜可能にコンピュータに接続され、前記マウスとコンピュータを無線接続するように構成されている。一部のコンピュータは、すでに内蔵された無線受信システム（例えばブルー・トゥースシステム）を有しており、このマウスと無線接続されうる。前記マウスには前記無線受信装置を収納するための無線受信装置収納溝を有する。前記無線送信装置はマウスの回路板に接続されている。
【００２２】
前記無線接続は、赤外光、高周波数無線電波、ブルー・トゥースなどで実現できる。
【００２３】
もちろん、本発明によるマウスは、有線方式でコンピュータに接続してもよい。
【００２４】
従来の技術と比べて、本発明は以下の利点を有する：このマウスは、体積が小さくなり、持ち運びできるので、操作するのにより便利である；一方、押下力を別途付与する必要がないので、それに起因する誤操作が避けられ、ユーザは、長時間にわたってこのマウスを気軽に使用することができる。
【図面の簡単な説明】
【００２５】
【図１】図１は、本発明の一実施形態に係るマウスを左側から見た概略構造図である。
【図２】図２は、本発明の一実施形態に係るマウスを右側から見た概略構造図である。
【図３】図３は、本発明の一実施形態に係るマウスの光学部材ケースがベースに収納される場合の概略構造図である。
【図４】図４は、本発明の一実施形態に係るマウスの指背押板が閉じられているときの概略構造図である。
【図５】図５は、本発明の一実施形態に係るマウスの指背押板が閉じられ、光学部材ケースが上向きに回転されたときの概略構造図である。
【図６】図６は、本発明の一実施形態に係るマウスの指背押板が閉じられたときの側面の断面図である。
【図７】図７は、本発明の一実施形態に係るマウスの指背押板が上向きに回転されたときの側面の断面図である。
【図８】図８は、本発明の一実施形態に係るマウスの下面図である。
【図９】図９は、本発明の一実施形態に係るスクロール歯車キーを用いたマウスの、指背押板が閉じられたときのユーザによる操作方法の概略図である。
【図１０】図１０は、本発明の一実施形態に係るスライドタッチキーを用いたマウスの、指背押板が閉じられたときのユーザによる操作方法の概略図である。
【図１１】図１１は、本発明の一実施形態に係るマウスの、指背押板が閉じられ、光学部材ケースがベースに収納されたときのユーザによる操作の側面図である。
【図１２】図１２は、本発明の一実施形態に係るマウスの、指背押板が上向きに回転され、光学部材ケースが上向きに回転されたときのユーザによる操作の側面図である。
【図１３】図１３は、本発明の一実施形態に係るマウスの回路の概略ブロック図である。
【図１４】図１４は、本発明の一実施形態に係るマウスの無線受信装置の回路の概略ブロック図である。
【発明を実施するための形態】
【００２６】
以下、図面と好適な実施形態を参照して本発明を更に詳しく説明する。
【００２７】
図１、図２及び図８に示されるように、マウスは、ベース１００、ベース１００に設置された左機能キー１１１と右機能キー１１２、データ情報を送受信するための光学的送受信装置３００、及び指背押板２００を備える。指背押板２００は、ベース１００の一方の側に設置された押板ヒンジ２２０によってベース１００にヒンジ連結されている。
【００２８】
指背押板２００には、指背貫通孔２１０が形成されている。ユーザが前記マウスを保持し、操作する手の指が指背押板２００によって圧着されたときに、操作する手の指背が指背貫通孔２１０を貫通する。指背押板２００の左機能キー１１１と右機能キー１１２に対応する位置には機能キー貫通孔２１１が形成されている。
【００２９】
指背押板２００とベース１００の接触面には、押板クッションパッド２０１が設置され、該クッションパッドはスポンジ等の柔軟物体で作製される。
【００３０】
光学的送受信装置３００は、光源３４２、光学系ミラー３４１及び反射光受信装置３３０を備え、これらは光学部材ケース３１０の内部に設置されている。光源３４２から出射された光は、光学系ミラー３４１によって反射面８００に反射され、そして反射面８００によって反射され、反射光受信装置３３０によって受光される。
【００３１】
上記光学的送受信装置３００中の部材の全部または一部（例えば光源３４２、光学系ミラー３４１又は反射光受信装置）は、光学部材ケース３１０内に収納されていてもよい。光学部材ケース３１０は、ベース１００（例えば中部）に設置された光学部ヒンジ３２０によってベース１００にヒンジ連結されている。ベース１００の光学部材ケース３１０に対応する位置には、復元された光学部材ケース３１０を収納するための光学部材ケース収納溝３１１が形成されている。
【００３２】
本実施形態では、このマウスは無線方式によってコンピュータに接続することができ、無線電波、赤外光又はブルー・トゥースを用いた無線受信装置４００をさらに備えている。無線受信装置４００は、ＵＳＢインタフェース（又は１３９４などの他のインタフェース）を介してコンピュータに着脱され、マウスとコンピュータを無線接続するように構成されている。マウスの一方の側面には、無線受信装置４００を収納するための無線受信装置収納溝４０１が形成されている。無線受信装置収納溝４０１は、ベース１００の他の位置（例えば底部、上部など））に設置されてもよい。
【００３３】
ベース１００の側面にはスクロールキー１２０が設けられている。スクロールキー１２０は、スクロール歯車キー１２１（歯車を粗面付きホイールとして作製しても良い）であり、もちろん、図１０に示されるスライドタッチキー１２２であってもよい。
【００３４】
図１と違って、図３に示されるように、マウスの光学部材ケース３１０は、ベース１００内の光学部材ケース収納溝３１１に収納される。
【００３５】
図４に示されるように、指背押板２００がベース１００上に閉じられる。機能キー１１０は、左機能キー１１１と右機能キー１１２を含む。左機能キー１１１及び右機能キー１１２には、操作する手の指と機能キー１１０との間の感受性及び摩擦力を増大させるために、筋状の突起が形成されている。これらの突起は、点状、絵柄状などの形状を有していてもよい。
【００３６】
図４と違って、図５に示されるように、指背押板２００がベース１００上に閉じられると、光学部材ケース３１０が指背貫通孔２１０を貫通し、ベース１００に対して一定角度を回転される。
【００３７】
図６に示されるように、指背押板２００がベース１００上に閉じられ、且つ、光学部材ケース３１０もベース１００に保持され、光学部材ケース収納溝３１１内に収納される。
【００３８】
図６と違って、図７に示されるように、光学部材ケース３１０がベース１００に対して一定角度回転される。この場合、光学系ミラー３４１と反射面８００の距離が拡大され、マウスの解像度と感度の向上に寄与する。
【００３９】
図９〜図１１に示されるように、指背押板２００がベース上に閉じられると、ユーザの操作する手の２本の指が指背押板２００上の機能キー貫通孔２１１を貫通し、それぞれ前記左機能キー１１１と右機能キー１１２を押さえつけ、操作する手の親指がベース１００の一側面に設置されたスクロールキー１２０を制御する。スクロールキー１２０は、スクロール歯車キー１２１であってもよい。
【００４０】
図９と違って、図１０に示されるように、スクロールキー１２０は、スライドタッチキー１２２であってもよい。
【００４１】
図１２は、本発明に係るマウスの１つの好適な作動状態を示す。指背押板２００は、ユーザの操作する手の指背を押圧するように、ベースに対して一定角度を回転され、操作する手の指背の盛り上がった部分が指背貫通孔２１０を貫通する。光学部材ケース３１０は、ベース１００に対して一定角度を回転され、マウスの解像度や感度の向上に寄与する。
【００４２】
図１３は、本発明に係る一実施形態のマウスの回路構造が概略的に示す。電源９０２は、マウス・マイクロプロセッサ９００に電力を供給する。マウス・マイクロプロセッサ９００は、コマンド入力部９０１介してユーザにより入力されたコマンド及び光学的送受信装置３００によって入力されたデータ信号を受信し、処理し、ポート９０３を介して外部装置とデータを交換する。コマンド入力部９０１は機能キー１１０とスクロールキー１２０を備えている。ポート９０３は、赤外光送信装置９０５、無線送信装置４０８又はＵＳＢ接続線９０４を選択的に利用して、外部装置と接続してもよい。
【００４３】
図１４は、本発明に係る一実施形態のマウスの無線受信装置４００の概略的ブロック図である。データは受信部（例えば、赤外光受信装置９０５１又は無線受信回路装置４００１）により受信され、その後、受信マイクロプロセッサ９００１（例えば、ＤＳＰ又は他のデジタル処理部）によって処理され、入出力ポート９０３１（例えば、ＵＳＢ等のインタフェース）を介してコンピュータに送信される。
【００４４】
上記のように、本発明について好適な実施形態を参照して詳細に説明したが、本発明の実施はこれだけに限定されるものではない。この技術分野の普通の技術者によれば、本発明の概念を逸脱しない範囲で変形や置換がなされるであろう。これら全ての変形や置換は本発明の保護範囲に含まれると見なされるべきである。
【符号の説明】
【００４５】
１００：ベース
１１０：機能キー
１１１：左機能キー
１１２：右機能キー
１２０：スクロールキー
１２１：スクロール歯車キー
１２２：スライドタッチキー
２００：指背押板
２１０：指背貫通孔
２１１：機能キー貫通孔
２２０：押板ヒンジ
２０１：押板クッションパッド
３００：光学的送受信装置
３２０：光学部ヒンジ
３１０：光学部材ケース
３３０：反射光受信装置
３４１：光学系ミラー
３４２：光源
３１１：光学部材ケース収納溝
４００：無線受信装置
４０１：無線受信装置収納溝
４０２：マウス回路板及び無線送信装置
８００：反射面
９００：マウス・マイクロプロセッサ
９０１：コマンド入力部（押キーなどを含む）
９０２：電源
９０３：ポート
９０４：ＵＳＢ接続線
９０５：赤外光送信装置
４００１：無線受信回路装置
４０８：無線送信装置
９００１：受信マイクロプロセッサ
９０３１：入出力ポート（ＵＳＢ）
９０５１：赤外光受信装置
【図１】
0005323201.tif 000002
【図２】
0005323201.tif 000003
【図３】
0005323201.tif 000004
【図４】
0005323201.tif 000005
【図５】
0005323201.tif 000006
【図６】
0005323201.tif 000007
【図７】
0005323201.tif 000008
【図８】
0005323201.tif 000009
【図９】
0005323201.tif 000010
【図１０】
0005323201.tif 000011
【図１１】
0005323201.tif 000012
【図１２】
0005323201.tif 000013
【図１３】
0005323201.tif 000014
【図１４】
0005323201.tif 000015